(57)【要約】      （修正有）【課題】本発明は、ＯＣＴ光学系を備えるガリレオ式の眼科用顕微鏡において、光学設計の自由度を高める新しい方式の眼科用顕微鏡を提供する。【解決手段】本発明は、照明光学系（３００）と、観察光学系（４００）と、前記観察光学系（４００）の光軸（Ｏ−４００）が透過する対物レンズ（２）と、ＯＣＴ光学系（５００）とを有する眼科用顕微鏡（１）において、前記対物レンズ（２）を前記ＯＣＴ光学系の光軸（Ｏ−５００）が透過せず、前記観察光学系の光軸（Ｏ−４００）と前記ＯＣＴ光学系の光軸（Ｏ−５００）とが非同軸となるように、前記観察光学系（４００）と、前記対物レンズ（２）と、前記ＯＣＴ光学系（５００）とが配置されていることを特徴とする、眼科用顕微鏡（１）を提供する。【選択図】図１
2018110785.tif 000002
【特許請求の範囲】
【請求項１】
被検眼を照明する照明光学系と、前記照明光学系で照明された前記被検眼を観察するための左眼用観察光学系と右眼用観察光学系を有する観察光学系と、前記観察光学系の前記左眼用観察光学系の光軸と前記右眼用観察光学系の光軸が共通して透過する対物レンズと、光コヒーレンストモグラフィにより前記被検眼を検査するためのＯＣＴ光学系とを有する眼科用顕微鏡において、
前記観察光学系の光軸が透過する前記対物レンズを前記ＯＣＴ光学系の光軸が透過せず、前記観察光学系の光軸と前記ＯＣＴ光学系の光軸とが非同軸となるように、前記観察光学系と、前記対物レンズと、前記ＯＣＴ光学系とが配置されていることを特徴とする、眼科用顕微鏡。
【請求項２】
前記対物レンズが、円形レンズの部分形状、又は円形レンズに切り欠き若しくは穴を設けた形状を有しており、
前記ＯＣＴ光学系の光軸が、前記対物レンズの存在しない部分、又は前記対物レンズに設けられた切り欠き若しくは穴を通過することを特徴とする、請求項１に記載の眼科用顕微鏡。
【請求項３】
前記対物レンズとは別に、前記ＯＣＴ光学系の光軸が透過するＯＣＴ用対物レンズをさらに有することを特徴とする、請求項１又は２に記載の眼科用顕微鏡。
【請求項４】
円形レンズ又は円形レンズの部分からなるレンズを２つに分割し、
分割した一のレンズを、前記対物レンズとし、
分割した他の一のレンズを、前記ＯＣＴ用対物レンズとしたことを特徴とする、請求項３に記載の眼科用顕微鏡。
【請求項５】
前記対物レンズ又は前記ＯＣＴ用対物レンズの位置を調整する対物レンズ位置制御機構をさらに有することを特徴とする、請求項１〜４のいずれか１項に記載の眼科用顕微鏡。
【請求項６】
前記ＯＣＴ光学系が着脱可能にユニット化されていることを特徴とする、請求項１〜５のいずれか１項に記載の眼科用顕微鏡。
【請求項７】
前記被検眼の網膜を観察するために前記被検眼と前記対物レンズの間の光路上に挿脱可能な前置レンズをさらに有することを特徴とする、請求項１〜６のいずれか１項に記載の眼科用顕微鏡。
【請求項８】
被検眼を照明する照明光学系と、前記照明光学系で照明された被検眼を観察するための左眼用観察光学系と右眼用観察光学系を有する観察光学系と、前記観察光学系の前記左眼用観察光学系の光軸と前記右眼用観察光学系の光軸が共通して透過する対物レンズとを有する眼科用顕微鏡に使用する機能拡張ユニットにおいて、
前記眼科用顕微鏡に対して着脱可能なジョイント部と、
光コヒーレンストモグラフィにより前記被検眼を検査するためのＯＣＴ光学系とを有し、
前記機能拡張ユニットを前記ジョイント部を介して前記眼科用顕微鏡に装着した場合に、前記観察光学系の光軸が透過する前記対物レンズを前記ＯＣＴ光学系の光軸が透過せず、前記観察光学系の光軸と前記ＯＣＴ光学系の光軸とが非同軸となることを特徴とする、機能拡張ユニット。
【請求項９】
前記ＯＣＴ光学系の光軸が透過するＯＣＴ用対物レンズを有することを特徴とする、請求項８に記載の機能拡張ユニット。
【請求項１０】
前記被検眼の網膜を観察するために前記被検眼と前記対物レンズの間の光路上に挿脱可能な前置レンズをさらに有することを特徴とする、請求項８又は９に記載の機能拡張ユニット。
【請求項１１】
請求項８〜１０のいずれか１項に記載の機能拡張ユニットと、前記対物レンズを交換するための交換用対物レンズとを含むことを特徴とする、機能拡張セット。
【請求項１２】
前記交換用対物レンズが、円形レンズの部分形状、又は円形レンズに切り欠き若しくは穴を設けた形状を有しており、
前記対物レンズを前記交換用対物レンズに交換し、前記機能拡張ユニットを前記ジョイント部を介して前記眼科用顕微鏡に装着した場合に、
前記ＯＣＴ光学系の光軸が、前記交換用対物レンズの存在しない部分、又は前記交換用対物レンズに設けた切り欠き若しくは穴を通過することを特徴とする、請求項１１に記載の機能拡張セット。
【発明の詳細な説明】
【技術分野】
【０００１】
本発明は、被検眼を照明する照明光学系と、照明された被検眼を観察するための観察光学系とを有する眼底カメラ、スリットランプ、眼科手術用顕微鏡等の眼科用顕微鏡に関する。本発明の眼科用顕微鏡は、光コヒーレンストモグラフィ（Optical Coherence Tomography:「ＯＣＴ」と略称される）により被検眼の断層像を得ることができるＯＣＴ光学系を有し、ＯＣＴ光学系と観察光学系とが独立できる構成となっていることを特徴とし、これにより眼科用顕微鏡の設計の自由度を高めることができる。
また、本発明は、眼科用顕微鏡に着脱可能で、ＯＣＴの機能を眼科用顕微鏡に付加することができる、機能拡張ユニットに関する。
【背景技術】
【０００２】
眼科用顕微鏡は、患者の被検眼を照明光学系により照明し、レンズ等からなる観察光学系により被検眼を拡大して観察することができる医療用又は検査用の機器である。このような眼科用顕微鏡には、ＯＣＴ光学系を有することにより、被検眼の断層像を得ることができるものが開発されている。
【０００３】
ＯＣＴとは、コヒーレンスが低い（可干渉距離が短い）光源を用いて、干渉計を構成し、これにより生体の断層像を得る技術である。具体的には、コヒーレンスが低い光源を用いて、この光をビームスプリッタで２分し、一方の光（測定光）を生体組織に照射して反射又は散乱させ、もう一方の光（参照光）をミラーで反射させる。測定光は、生体組織のいろいろな深さの位置で反射又は散乱し、無数の反射光又は散乱光が戻ってくる。ビームスプリッタに戻ってきた測定光と参照光の反射光を合流させると、参照光と同じ距離だけ経由した測定光の反射光又は散乱光のみが、参照光の反射光と干渉して検出される。したがって、ビームスプリッタとミラーとの位置を調整して参照光の経路長を様々に変更することにより、生体組織の様々な深さで反射した測定光の強さを検出できる。このようなＯＣＴ光学系により、生体組織の断層像を得ることができる。
このＯＣＴ光学系を眼科用顕微鏡に設けることにより、眼の網膜や角膜、虹彩等の断層像を得ることが可能となり、組織の表面だけでなく内部の状態も観察することが可能となった。これにより眼の疾患の診断精度を高め、また、眼科手術の成功率を高めることができる。
【０００４】
このようなＯＣＴ光学系を有する眼科用顕微鏡においては、ＯＣＴ光学系の光が被検眼に入射できるように、照明光学系と観察光学系を有する顕微鏡にＯＣＴ光学系を組み込む必要があり、様々な方式が開発されている。
例えば、観察者の左眼用観察光学系と右眼用観察光学系とからなる観察光学系を有し、左右の観察光学系の光軸が共通して透過する一つの対物レンズを有するガリレオ式の眼科用顕微鏡において、対物レンズの側方から入射したＯＣＴ光源の光を、対物レンズの直上で反射部材により反射させ、対物レンズを透過させて被検眼に入射させる方式がある（特許文献１及び２等）。
【０００５】
より詳細に説明すると、図１２（特許文献１の図１を引用した図面）に示されるように、眼科用顕微鏡は、左眼用観察光学系の光軸と右眼用観察光学系の光軸をそれぞれ透過させる左右に対となるレンズ群（１３０，１４０，１５０，１７０，１８０）からなる観察光学系と、左眼用観察光学系の光軸と右眼用観察光学系の光軸が共通して透過する一つの対物レンズ（１１０）と、ＯＣＴ光学系（２００，２５０，４５０，４６０，４７０）と、照明光学系（３１０，３２０，３３０）を有している。ＯＣＴ光学系においては、ＯＣＴ光源（２００）からの出力光が、光ファイバ（２５０）を通過して出射され、２枚の走査鏡（４５０，４６０）により方向を制御された後、ビームコンバイナ（３４０）において照明光学系からの照明光と合流して、ビームスプリッタ（１２０）で反射され、被検眼（１０００）に入射している。
【０００６】
また、ガリレオ式の眼科用顕微鏡において、対物レンズの上部からＯＣＴ光源の光を出射させ、対物レンズを透過させて被検眼に入射させる方式がある（特許文献３）。
さらに、ガリレオ式の眼科用顕微鏡において、ＯＣＴ光学系の光路を、観察光学系の光路と略同軸に合流させて、対物レンズを透過させて被検眼に入射させる方式がある（特許文献４及び５）。
【０００７】
前記の方式はいずれも、観察光学系の光軸とＯＣＴ光学系の光軸とが、共通して一つの対物レンズを透過するものであった。
【０００８】
ガリレオ式の眼科用顕微鏡において、ＯＣＴ光学系の光軸が対物レンズを透過しない方式としては、対物レンズの側方から入射したＯＣＴ光源の光を、対物レンズの直下で反射部材により反射させて、対物レンズを透過させずに被検眼に入射させる方式がある（特許文献６）。
より詳細に説明すると、図１３（特許文献６のＦＩＧ．２Ａを引用した図面）に示されるように、観察光学系の光軸が透過する対物レンズ（１０２）の下部において、対物レンズの側方から入射したＯＣＴ光源の光をダイクロイックミラー（４００）で反射させて、被検眼にＯＣＴ光学系の光を入射させている。
この方式では、観察光学系の光路とＯＣＴ光学系の光路が、対物レンズの直下で同軸に合流するものであった。
【０００９】
また、ガリレオ式の眼科用顕微鏡と異なる方式としては、左右の観察光学系にそれぞれ対応する２つの対物レンズを有し、左右の観察光学系の間にステレオ角を持たせたグリノー式の眼科用顕微鏡がある（特許文献７及び８）。グリノー式の眼科用顕微鏡においては、左右の観察光学系の光軸が共通して透過する対物レンズが存在しないため、ＯＣＴ光学系の光路をその対物レンズを透過させることなく被検眼に入射させることができる。
しかしながら、グリノー式の眼科用顕微鏡では、左右の観察光学系を互いに傾斜させてステレオ角を持たせるため、複雑な光学設計が必要となるものであった。
【先行技術文献】
【特許文献】
【００１０】
【特許文献１】特開平８−６６４２１号公報
【特許文献２】特開２００８−２６４４８８号公報
【特許文献３】特開２００８−２６８８５２号公報
【特許文献４】特表２０１０−５２２０５５号公報
【特許文献５】特開２００８−２６４４９０号公報
【特許文献６】米国特許第８３６６２７１号明細書
【特許文献７】特開２０１６−１８５１７７号公報
【特許文献８】特開２０１６−１８５１７８号公報
【発明の概要】
【発明が解決しようとする課題】
【００１１】
前記のとおり、ＯＣＴ光学系を備える従来の眼科用顕微鏡においては、ガリレオ式の眼科用顕微鏡とグリノー式の眼科用顕微鏡があるが、グリノー式の眼科用顕微鏡は複雑な光学設計が必要となるものであった。
また、従来のガリレオ式の眼科用顕微鏡においては、特許文献１〜５等に示されるように、観察光学系の光軸とＯＣＴ光学系の光軸とが、共通して一つの対物レンズを透過する方式が数多く開発されているが、観察光学系とＯＣＴ光学系とが独立していないため、ＯＣＴ光学系と観察光学系とが互いに影響を受けて、光学設計の自由度が制限されるものであった。
従来のガリレオ式の眼科用顕微鏡においては、特許文献６に示されるように、ＯＣＴ光学系の光軸が対物レンズを透過しない方式も開発されているが、観察光学系の光軸とＯＣＴ光学系の光軸が、対物レンズの直下で同軸に合流するものであるため、ＯＣＴの反射光又は散乱光を検出するためには、波長分離フィルタやビームスプリッタ等の波長分離のための光学部材を設ける必要があるという問題があった。また、対物レンズと被検眼の間にＯＣＴ光学系の光学部材を設けるため、眼科用顕微鏡から被検眼までの距離を十分に確保できなくなるという問題があった。
【００１２】
そこで、本発明は、前記従来の状況に鑑み、ＯＣＴ光学系を備えるガリレオ式の眼科用顕微鏡において、光学設計の自由度を高める新しい方式の眼科用顕微鏡を開発することを目的とする。
【課題を解決するための手段】
【００１３】
前記課題を解決するため、本願の発明者らは鋭意研究した結果、ガリレオ式の眼科用顕微鏡において、観察光学系の光軸が透過する対物レンズをＯＣＴ光学系の光軸が透過せず、観察光学系の光軸とＯＣＴ光学系の光軸とが非同軸となるように配置することにより、観察光学系とＯＣＴ光学系とが独立して、光学設計の自由度が高まるとともに、ＯＣＴ光学系を着脱可能にユニット化することも可能となることを見出し、本発明を完成するに到った。
【００１４】
すなわち、本発明は、眼科用顕微鏡に関する下記の第１の発明と、機能拡張ユニットに関する下記の第２の発明と、機能拡張セットに関する下記の第３の発明を提供する。
（１）  第１の発明は、被検眼を照明する照明光学系と、前記照明光学系で照明された前記被検眼を観察するための左眼用観察光学系と右眼用観察光学系を有する観察光学系と、前記観察光学系の前記左眼用観察光学系の光軸と前記右眼用観察光学系の光軸が共通して透過する対物レンズと、光コヒーレンストモグラフィにより前記被検眼を検査するためのＯＣＴ光学系とを有する眼科用顕微鏡において、
前記観察光学系の光軸が透過する前記対物レンズを前記ＯＣＴ光学系の光軸が透過せず、前記観察光学系の光軸と前記ＯＣＴ光学系の光軸とが非同軸となるように、前記観察光学系と、前記対物レンズと、前記ＯＣＴ光学系とが配置されていることを特徴とする、眼科用顕微鏡に関する。
（２）  第１の発明においては、前記対物レンズが、円形レンズの部分形状、又は円形レンズに切り欠き若しくは穴を設けた形状を有しており、
前記ＯＣＴ光学系の光軸が、前記対物レンズの存在しない部分、又は前記対物レンズに設けられた切り欠き若しくは穴を通過することが好ましい。
（３）  前記いずれかの眼科用顕微鏡においては、前記対物レンズとは別に、前記ＯＣＴ光学系の光軸が透過するＯＣＴ用対物レンズをさらに有することが好ましい。
（４）  前記（３）の場合には、円形レンズ又は円形レンズの部分からなるレンズを２つに分割し、
分割した一のレンズを、前記対物レンズとし、
分割した他の一のレンズを、前記ＯＣＴ用対物レンズとすることができる。
（５）  前記いずれかの眼科用顕微鏡においては、前記対物レンズの位置を調整する対物レンズ位置制御機構をさらに有することが好ましい。
（６）  前記いずれかの眼科用顕微鏡においては、前記ＯＣＴ光学系が着脱可能にユニット化されていることが好ましい。
（７）  前記いずれかの眼科用顕微鏡においては、前記被検眼の網膜を観察するために前記被検眼と前記対物レンズの間の光路上に挿脱可能な前置レンズをさらに有することが好ましい。
（８）  第２の発明は、被検眼を照明する照明光学系と、前記照明光学系で照明された被検眼を観察するための左眼用観察光学系と右眼用観察光学系を有する観察光学系と、前記観察光学系の前記左眼用観察光学系の光軸と前記右眼用観察光学系の光軸が共通して透過する対物レンズとを有する眼科用顕微鏡に使用する機能拡張ユニットにおいて、
前記眼科用顕微鏡に対して着脱可能なジョイント部と、
光コヒーレンストモグラフィにより前記被検眼を検査するためのＯＣＴ光学系とを有し、
前記機能拡張ユニットを前記ジョイント部を介して前記眼科用顕微鏡に装着した場合に、前記観察光学系の光軸が透過する前記対物レンズを前記ＯＣＴ光学系の光軸が透過せず、前記観察光学系の光軸と前記ＯＣＴ光学系の光軸とが非同軸となることを特徴とする、機能拡張ユニットに関する。
（９）  第２の発明の機能拡張ユニットにおいては、前記ＯＣＴ光学系の光軸が透過するＯＣＴ用対物レンズを有することが好ましい。
（１０）  前記いずれかの機能拡張ユニットにおいては、前記被検眼の網膜を観察するために前記被検眼と前記対物レンズの間の光路上に挿脱可能な前置レンズをさらに有することが好ましい。
（１１）  第３の発明は、前記いずれかの機能拡張ユニットと、前記対物レンズを交換するための交換用対物レンズとを含むことを特徴とする、機能拡張セットを提供する。
（１２）  第３の発明においては、前記交換用対物レンズが、円形レンズの部分形状、又は円形レンズに切り欠き若しくは穴を設けた形状を有しており、
前記対物レンズを前記交換用対物レンズに交換し、前記機能拡張ユニットを前記ジョイント部を介して前記眼科用顕微鏡に装着した場合に、
前記ＯＣＴ光学系の光軸が、前記交換用対物レンズの存在しない部分、又は前記交換用対物レンズに設けた切り欠き若しくは穴を通過することが好ましい。
【発明の効果】
【００１５】
第１の発明の眼科用顕微鏡は、観察光学系の光軸が透過する対物レンズをＯＣＴ光学系の光軸が透過せず、観察光学系の光軸とＯＣＴ光学系の光軸とが非同軸になっている。このような構成により、本発明の眼科用顕微鏡では、観察光学系とＯＣＴ光学系とが独立したものとなっている。このため、本発明の眼科用顕微鏡においては、観察光学系とＯＣＴ光学系とが互いに影響を受けることなく光学設計を行うことができるため、本発明の眼科用顕微鏡は、光学設計の自由度が高まるという効果を奏する。
第２の発明の機能拡張ユニット及び第３の発明の機能拡張セットは、眼科用顕微鏡の観察光学系の光軸が透過する対物レンズを、機能拡張ユニットのＯＣＴ光学系の光軸が透過せず、眼科用顕微鏡の観察光学系の光軸と機能拡張ユニットのＯＣＴ光学系の光軸とが非同軸となっている。このような構成により、機能拡張ユニットのＯＣＴ光学系は、眼科用顕微鏡の観察光学系と独立しており、ユニット化が可能になるとともに、光学設計の自由度が高まるという効果を奏する。また、機能拡張ユニットは、ジョイント部を介して眼科用顕微鏡に着脱可能であるため、本発明の機能拡張ユニット及び機能拡張セットは、簡便にＯＣＴの機能を眼科用顕微鏡に追加することができるという効果を奏する。
【図面の簡単な説明】
【００１６】
【図１】本発明の第１の実施形態の眼科用顕微鏡について、光学系の構成を側面から見たものとして模式的に示す図面である。
【図２】本発明の第１の実施形態の眼科用顕微鏡について、光学系の構成を正面から見たものとして模式的に示す図面である。
【図３】本発明の第１の実施形態の眼科用顕微鏡で用いられるＯＣＴユニットの光学構成を模式的に示す図面である。
【図４】本発明の第１の実施形態の眼科用顕微鏡に使用される対物レンズの形状を模式的に示す図面である。図４（Ａ）は、対物レンズの光軸の方向から見た図面であり、図４（Ｂ）は、側面から見た図面である。
【図５】本発明の第２の実施形態の眼科用顕微鏡に使用される対物レンズの形状を模式的に示す図面である。図５（Ａ）は、対物レンズの光軸の方向から見た図面であり、図５（Ｂ）は、側面から見た図面である。
【図６】本発明の第２の実施形態の眼科用顕微鏡について、光学系の構成を側面から見たものとして模式的に示す図面である。
【図７】本発明の第３の実施形態の眼科用顕微鏡に使用される対物レンズの形状を模式的に示す図面である。図７（Ａ）は、対物レンズの光軸の方向から見た図であり、図７（Ｂ）は、側面から見た図である。
【図８】本発明の第４の実施形態の眼科用顕微鏡に使用される対物レンズの形状を模式的に示す図面である。図８（Ａ）は、対物レンズの光軸の方向から見た図であり、図８（Ｂ）は、側面から見た図である。
【図９】本発明の第５の実施形態の眼科用顕微鏡に使用される対物レンズの形状を模式的に示す図面である。図９（Ａ）は、対物レンズの光軸の方向から見た図であり、図９（Ｂ）は、側面から見た図である。
【図１０】本発明の第６の実施形態の眼科用顕微鏡に使用される対物レンズの形状を模式的に示す図面である。図１０（Ａ）は、対物レンズの光軸の方向から見た図であり、図１０（Ｂ）は、側面から見た図である。
【図１１】本発明の第７の実施形態の眼科用顕微鏡に使用される対物レンズの形状を模式的に示す図面である。図１１（Ａ）は、対物レンズの光軸の方向から見た図であり、図１１（Ｂ）は、側面から見た図である。
【図１２】特許文献１の図１を引用した図面である。
【図１３】特許文献６のＦＩＧ．２Ａを引用した図面である。
【発明を実施するための形態】
【００１７】
１．  眼科用顕微鏡
１−１．  本発明の眼科用顕微鏡の概要
本発明の眼科用顕微鏡は、被検眼を照明する照明光学系と、照明光学系で照明された被検眼を観察するための左眼用観察光学系と右眼用観察光学系を有する観察光学系と、観察光学系の左眼用観察光学系の光軸と右眼用観察光学系の光軸が共通して透過する対物レンズと、光コヒーレンストモグラフィにより被検眼を検査するためのＯＣＴ光学系とを有する眼科用顕微鏡に関するものである。
【００１８】
本発明の眼科用顕微鏡は、観察光学系の光軸が透過する対物レンズをＯＣＴ光学系の光軸が透過せず、観察光学系の光軸とＯＣＴ光学系の光軸とが非同軸となるように、観察光学系と、対物レンズと、ＯＣＴ光学系とが配置されている。このような構成により、本発明の眼科用顕微鏡では、観察光学系とＯＣＴ光学系とが独立したものとなっている。
このため、本発明の眼科用顕微鏡においては、観察光学系とＯＣＴ光学系とが互いに影響を受けることなく光学設計を行うことができるため、本発明の眼科用顕微鏡は、光学設計の自由度が高まるという効果を奏する。
例えば、これらに限定されるわけではないが、観察光学系の対物レンズの他に、ＯＣＴ光学系にもＯＣＴ用対物レンズを設け、それぞれの対物レンズを独立して位置制御することにより、観察光学系の焦点とＯＣＴ光学系の焦点を、独立して調整する光学設計が可能となる。また、ＯＣＴ光学系を観察光学系と分離して、ＯＣＴ光学系を眼科用顕微鏡に着脱可能なユニットとする光学設計も可能となる。さらに、眼科用顕微鏡に一つだけでなく複数のＯＣＴ光学系を付け加えて、より詳細に三次元の断層像を得ることができる光学設計も可能となる。
【００１９】
本発明において「眼科用顕微鏡」とは、被検眼を拡大して観察することができる医療用又は検査用の機器をいい、ヒト用のみならず動物用のものも含む。「眼科用顕微鏡」には、これらに限定されるわけではないが、例えば、眼底カメラ、スリットランプ、眼科手術用顕微鏡等が含まれる。
【００２０】
本発明において、「照明光学系」とは、被検眼を照明するための光学素子を含んで構成されるものである。照明光学系には、さらに光源を含ませることができるが、自然光を被検眼に導くものであってもよい。
また、本発明において、「観察光学系」とは、照明光学系によって照明された被検眼から反射・散乱された戻り光により、被検眼を観察することを可能とする光学素子を含んで構成されるものである。本発明において、観察光学系は、左眼用観察光学系と右眼用観察光学系を有しており、左右の観察光学系により得られる像に視差を生じさせた場合には、双眼視により立体的に観察することも可能となる。
また、本発明の「観察光学系」は、アイピースや接眼レンズ等を通じて観察者の肉眼により被検眼を観察できるものであってもよく、また、撮像素子等により受光して画像化することにより観察できるものであってもよく、あるいは、両方の機能を備えるものであってもよい。
【００２１】
本発明において、「ＯＣＴ光学系」とは、ＯＣＴの測定光又は参照光を経由させる光学素子を含んで構成されるものである。ＯＣＴ光学系には、さらにＯＣＴ光源を含ませることができる。
本発明において、「照明光学系」、「観察光学系」、「ＯＣＴ光学系」に使用される光学素子としては、これらに限定されるわけではないが、例えば、レンズ、プリズム、ミラー、光フィルタ、絞り、回折格子、偏光素子等を用いることができる。
【００２２】
本発明において、「対物レンズ」とは、眼科用顕微鏡において、被検眼の側に設けられたレンズをいう。対物レンズと被検眼の間に一時的に挿入して使用する前置レンズ（ルーペ）は、本発明でいう「対物レンズ」には含まれない。
本発明において、観察光学系の光軸とＯＣＴ光学系の光軸とが「非同軸となる」とは、光軸の方向が同一ではないことをいう。
【００２３】
１−２．  第１の実施形態
以下、本発明の実施形態の例を、図面を参照しながら詳細に説明する。
図１〜４は、本発明の眼科用顕微鏡の一例である第１の実施形態を模式的に示す図面である。図１は、第１の実施形態の眼科用顕微鏡の光学系の構成を、側面から見たものとして示す模式図であり、図２は、正面から見たものとして示す模式図である。また、図３は、ＯＣＴユニットの光学構成を模式的に示す図面であり、図４は、対物レンズの形状を模式的に示す図面である。
【００２４】
図１に示されるように、眼科用顕微鏡（１）の光学系は、対物レンズ（２）と、照明光学系（３００）と、観察光学系（４００）と、ＯＣＴ光学系（５００）を有している。
対物レンズ（２）と、照明光学系（３００）と、観察光学系（４００）は、眼科用顕微鏡本体（６）に収納されている。一方、ＯＣＴ光学系（５００）は、機能拡張ユニット（７）に収納されている。図１においては、眼科用顕微鏡本体（６）と機能拡張ユニット（７）を、それぞれ一点鎖線により示す。
眼科用顕微鏡本体（６）と機能拡張ユニット（７）とは、図示しないジョイント部により、着脱可能に連結されている。
【００２５】
図１に示されるように、照明光学系（３００）は、対物レンズ（２）を介して、被検眼（８）を照明する。照明光学系（３００）は、照明光源（９）、光ファイバ（３０１）、出射口絞り（３０２）、コンデンサレンズ（３０３）、照明野絞り（３０４）、コリメートレンズ（３０５）、及び反射ミラー（３０６）を含んで構成されている。照明光学系（３００）の光軸を、図１において点線（Ｏ−３００）で示す。
【００２６】
照明光源（９）は、眼科用顕微鏡本体（６）の外部に設けられている。照明光源（９）には光ファイバ（３０１）の一端が接続されている。光ファイバの他端は、眼科用顕微鏡本体（６）の内部のコンデンサレンズ（３０３）に臨む位置に配置されている。照明光源（９）から出力された照明光は、光ファイバ（３０１）により導光されてコンデンサレンズ（３０３）に入射する。
光ファイバ（３０１）の出射口（コンデンサレンズ（３０３）側のファイバ端）に臨む位置には、出射口絞り（３０２）が設けられている。出射口絞り（３０２）は、光ファイバ（３０１）の出射口の一部領域を遮断するように作用する。出射口絞り（３０２）による遮断領域が変更されると、照明光の出射領域が変更される。それにより、照明光による照射角度、つまり被検眼（８）に対する照明光の入射方向と対物レンズ（２）の光軸とがなす角度を変更することができる。
【００２７】
照明野絞り（３０４）は、対物レンズ（２）の前側焦点位置（Ｕ０）と光学的に共役な位置（×の位置）に設けられている。コリメートレンズ（３０５）は、照明野絞り（３０４）を通過した照明光を平行光束にする。反射ミラー（３０６）は、コリメートレンズ（３０５）によって平行光束にされた照明光を対物レンズ（２）に向けて反射する。反射された光は、対物レンズ（２）を透過して、被検眼（８）に照射される。
被検眼（８）に照射された照明光（の一部）は、角膜や網膜等の被検眼の組織で反射・散乱される。その反射・散乱した戻り光（「観察光」とも呼ばれる）は、対物レンズ（２）を透過して、観察光学系（４００）に入射する。
【００２８】
図１に示されるように、観察光学系（４００）は、変倍レンズ系（４０１）、ビームスプリッタ（４０２）、結像レンズ（４０３）、像正立プリズム（４０４）、眼幅調整プリズム（４０５）、視野絞り（４０６）、及び接眼レンズ（４０７）を含んで構成されている。観察光学系（４００）の光軸を、図１において点線（Ｏ−４００）で示す。
観察光学系（４００）は、照明光学系（３００）により照明されている被検眼（８）を、対物レンズ（２）を介して観察するために用いられる。
【００２９】
図１に示されるように、ＯＣＴ光学系（５００）は、ＯＣＴユニット（１０）、光ファイバ（５０１）、コリメートレンズ（５０２）、照明野絞り（５０９）、光スキャナ（５０３ａ，５０３ｂ）、リレー光学系（５０４）、第１レンズ群（５０５）、第２レンズ群（５０６）、及びＯＣＴ用対物レンズ（５０７）を含んで構成されている。
ＯＣＴ光学系（５００）の光軸を、図１において点線（Ｏ−５００）で示す。
図１に示されるように、第１の実施形態においては、ＯＣＴ光学系の光軸（Ｏ−５００）が対物レンズ（２）を透過しておらず、観察光学系の光軸（Ｏ−４００）とＯＣＴ光学系の光軸（Ｏ−５００）とが非同軸となっており、これによりＯＣＴ光学系と観察光学系とが独立したものとなっている。
【００３０】
ＯＣＴユニット（１０）は、コヒーレンスが低い（可干渉距離が短い）ＯＣＴ光源からの光を測定光と参照光に分割する。測定光はＯＣＴ光学系（５００）により導かれて被検眼（８）に照射され、被検眼の組織において反射・散乱し、それが戻り光となってＯＣＴユニット（１０）に導かれる。ＯＣＴユニット（１０）では、測定光の戻り光と参照光との干渉を検出する。これにより、被検眼の組織の断層像を得ることができる。
【００３１】
図１に示されるように、ＯＣＴユニット（１０）は、機能拡張ユニット（７）の外部に設けられているが、光ファイバ（５０１）の一端が接続されており、これにより機能拡張ユニット（７）と連結している。ＯＣＴユニット（１０）により生成された測定光は、光ファイバ（５０１）の他端から出射する。出射した測定光は、コリメートレンズ（５０２）、照明野絞り（５０９）、光スキャナ（５０３ａ，５０３ｂ）、リレー光学系（５０４）、第１レンズ群（５０５）、第２レンズ群（５０６）、ＯＣＴ用対物レンズ（５０７）等を経由して被検眼（８）に照射され、被検眼（８）の組織で反射・散乱した測定光の戻り光は、同じ経路を逆向きに進行して光ファイバ（５０１）の他端に入射する。
【００３２】
眼底の網膜を観察するときは、図示しない移動手段により、前置レンズ（１４）が被検眼の眼前の光軸Ｏ−３００、Ｏ−４００、Ｏ−５００上に挿入される。この場合には、対物レンズ（２）の前側焦点位置（Ｕ０）は、眼底の網膜と共役となる。
また、角膜、虹彩等の前眼部を観察するときには、前置レンズを被検眼の眼前から脱離させて観察を行う。
【００３３】
図１に示されるように、コリメートレンズ（５０２）は、光ファイバ（５０１）の他端から出射した測定光を平行光束にする。コリメートレンズ（５０２）と光ファイバ（５０１）の他端とは測定光の光軸に沿って相対的に移動可能に構成されている。第１の実施形態では、コリメートレンズ（５０２）が移動可能に構成されているが、光ファイバ（５０１）の他端が測定光の光軸に沿って移動可能に構成されていてもよい。
照明野絞り（５０９）は、対物レンズ（２）の前側焦点位置（Ｕ０）と共役である。
【００３４】
ＯＣＴ光学系における光スキャナ（５０３ａ，５０３ｂ）は、コリメートレンズ（５０２）により平行光束とされた測定光を２次元的に偏向する。光スキャナ（５０３ａ，５０３ｂ）には、違いに交差する２軸のそれぞれの軸を中心に回動可能に構成された偏向部材が用いられる。偏向部材の例として、ガルバノミラー、ポリゴンミラー、回転ミラー、ＭＥＭＳ（Micro Electro Mechanical Systems）ミラー等がある。第１の実施形態では、光スキャナ（５０３ａ，５０３ｂ）は、ガルバノミラーを含んで構成されている。すなわち、光スキャナは、第１軸を中心に回動可能な偏向面を有する第１スキャナ（５０３ａ）と、第１軸に直交する第２軸を中心に回動可能な偏向面を有する第２スキャナ（５０３ｂ）を含む。第１スキャナ（５０３ａ）と第２スキャナ（５０３ｂ）との間には、リレー光学系（５０４）が設けられている。
【００３５】
第１レンズ群（５０５）は、１以上のレンズを含んで構成される。第２レンズ群（５０６）も、１以上のレンズを含んで構成される。
さらに、被検眼（８）に接する側には、ＯＣＴ用対物レンズ（５０７）が設けられている。
ＯＣＴ用対物レンズは、光軸に沿って移動可能に構成されており、ＯＣＴ用対物レンズの位置を制御することにより、ＯＣＴ光学系の焦点を調整することができる。これにより、ＯＣＴ光学系の焦点を観察光学系の焦点とは異なる位置に調整することが可能となる。
【００３６】
このように、第１の実施形態の眼科用顕微鏡では、ＯＣＴ光学系の光軸（Ｏ−５００）が対物レンズ（２）を透過しておらず、観察光学系の光軸（Ｏ−４００）とＯＣＴ光学系の光軸（Ｏ−５００）とが非同軸となっていることにより、観察光学系とＯＣＴ光学系とが独立したものとなっている。
このため、第１の実施形態の眼科用顕微鏡では、観察光学系とＯＣＴ光学系を独立して制御することが可能であり、また、ＯＣＴ光学系を眼科用顕微鏡に対して着脱可能なユニットとすることも可能である。
【００３７】
第１の実施形態の眼科用顕微鏡について、さらに図面を参照して詳細に説明する。
図２は、第１の実施形態の眼科用顕微鏡の光学系の構成を、正面から見たものとして示す模式図である。
図２に示されるように、観察光学系は、観察者の左眼用の観察光学系（４００Ｌ）と右眼用の観察光学系（４００Ｒ）に分かれており、それぞれに観察光路を有している。左右の観察光学系の光軸を、図２においてそれぞれ点線（Ｏ−４００Ｌ，Ｏ−４００Ｒ）で示す。
【００３８】
図２に示されるように、左右の観察光学系（４００Ｌ，４００Ｒ）は、それぞれ、変倍レンズ系（４０１）、結像レンズ（４０３）、像正立プリズム（４０４）、眼幅調整プリズム（４０５）、視野絞り（４０６）、及び接眼レンズ（４０７）を含んで構成されている。ビームスプリッタ（４０２）は、右眼用の観察光学系４００Ｒのみが有している。
変倍レンズ系（４０１）は、複数のズームレンズ（４０１ａ，４０１ｂ，４０１ｃ）を含んで構成されている。各ズームレンズ（４０１ａ，４０１ｂ，４０１ｃ）は、図示しない変倍機構によって左右の観察光学系の光軸（Ｏ−４００Ｌ，Ｏ−４００Ｒ）に沿って移動可能となっている。これにより、被検眼（８）を観察又は撮影する際の拡大倍率が変更される。
【００３９】
図２に示されるように、右眼用の観察光学系（４００Ｒ）のビームスプリッタ（４０２）は、被検眼（８）から右眼用観察光学系に沿って導光された観察光の一部を分離して撮影光学系に導く。撮影光学系は、結像レンズ（１１０１）、反射ミラー（１１０２）、及びテレビカメラ（１１０３）を含んで構成されている。
テレビカメラ（１１０３）は、撮像素子（１１０３ａ）を備えている。撮像素子（１１０３ａ）は、例えば、ＣＣＤ（Charge Coupled Devices）イメージセンサや、ＣＭＯＳ（Complementary Metal Oxide Semiconductor）イメージセンサ等によって構成される。撮像素子（１１０３ａ）としては２次元の受光面を有するもの（エリアセンサ）が用いられる。
眼科用顕微鏡（１）の使用時には、撮像素子（１１０３ａ）の受光面は、例えば、被検眼（８）の角膜若しくは網膜の表面と光学的に共役な位置に配置される。
【００４０】
像正立プリズム（４０４）は、倒像を正立像に変換する。眼幅調整プリズム（４０５）は、観察者の眼幅（左眼と右眼の間の距離）に応じて左右の観察光路の間の距離を調整するための光学素子である。視野絞り（４０６）は、観察光の断面における周辺領域を遮断して観察者の視野を制限するものである。視野絞り（４０６）は、対物レンズ（２）の前側焦点位置（Ｕ０）と共役な位置（×の位置）に設けられている。
観察光学系（４００Ｌ，４００Ｒ）は、観察光学系の光路から挿脱可能に構成されたステレオバリエータを含んで構成されてもよい。ステレオバリエータは、左右の変倍レンズ系（４０１）によってそれぞれ案内される左右の観察光学系の光軸（Ｏ−４００Ｌ，Ｏ−４００Ｒ）の相対的位置を変更するための光軸位置変更素子である。ステレオバリエータは、例えば、観察光路に対して観察者側に設けられた退避位置に退避される。
【００４１】
第１の実施形態の眼科用顕微鏡においては、主となる観察者が使用する観察光学系の他に、助手となる観察者が使用するための副観察光学系（４００Ｓ）が設けられている。
図２に示されるように、副観察光学系（４００Ｓ）は、照明光学系により照明されている被検眼（８）で反射・散乱した戻り光（観察光）を、対物レンズ（２）を経由して助手用接眼レンズ（４１１）に導く。副観察光学系の光軸を、図２において点線（Ｏ−４００Ｓ）で示す。
副観察光学系（４００Ｓ）にも左右一対の光学系が設けられており、双眼による立体観察が可能である。
【００４２】
図２に示されるように、副観察光学系（４００Ｓ）は、プリズム（４０８）、反射ミラー（４１０）、及び助手用接眼レンズ（４１１）を含んで構成される。第１の実施形態においては、プリズム（４０８）と反射ミラー（４１０）との間に、さらに結像レンズ（４０９）も配置されている。被検眼（８）からの観察光は、対物レンズ（２）を透過し、プリズム（４０８）の反射面（４０８ａ）により反射される。反射面（４０８ａ）により反射された観察光は、結像レンズ（４０９）を透過し、反射ミラー（４１０）により反射され、助手用接眼レンズ（４１１）に導かれる。
観察光学系（４００Ｌ，４００Ｒ）と副観察光学系（４００Ｓ）は、眼科用顕微鏡本体（６）に収納されている。
【００４３】
眼底の網膜を観察するときは、図示しない移動手段により、前置レンズ（１４）が被検眼の眼前の光軸Ｏ−３００、Ｏ−４００、Ｏ−５００上に挿入される。この場合には、対物レンズ（２）の前側焦点位置（Ｕ０）は、眼底の網膜と共役となる。
また、角膜、虹彩等の前眼部を観察するときには、前置レンズを被検眼の眼前から脱離させて観察を行う。
【００４４】
図３は、第１の実施形態の眼科用顕微鏡で用いられるＯＣＴユニット（１０）の光学構成を模式的に示す図面である。
図３に示されるように、ＯＣＴユニット（１０）は、ＯＣＴ光源ユニット（１００１）から出射された光を測定光（ＬＳ）と参照光（ＬＲ）に分割し、別の光路を経た測定光（ＬＳ）と参照光（ＬＲ）の干渉を検出する干渉計を構成している。
ＯＣＴ光源ユニット（１００１）は、一般的なスウェプトソースタイプのＯＣＴ装置と同様に、出射光の波長を走査（掃引）可能な波長走査型（波長掃引型）光源を含んで構成される。ＯＣＴ光源ユニット（１００１）は、人の眼では視認できない近赤外の波長において、出力波長を時間的に変化させる。ＯＣＴ光源ユニット（１００１）から出力された光を符号Ｌ０で示す。
【００４５】
ＯＣＴ光源ユニット（１００１）から出力された光Ｌ０は、光ファイバ（１００２）により偏波コントローラ（１００３）に導かれてその偏光状態が調整される。偏波コントローラ（１００３）は、たとえばループ状にされた光ファイバ（１００２）に対して外部から応力を与えることで、光ファイバ（１００２）内を導かれる光Ｌ０の偏光状態を調整する。
偏波コントローラ（１００３）により偏光状態が調整された光Ｌ０は、光ファイバ（１００４）によりファイバカプラ（１００５）に導かれて測定光（ＬＳ）と参照光（ＬＲ）とに分割される。
【００４６】
図３に示されるように、参照光（ＬＲ）は、光ファイバ（１００６）によりコリメータ（１００７）に導かれて平行光束となる。平行光束となった参照光ＬＲは、光路長補正部材（１００８）及び分散補償部材（１００９）を経由し、コーナーキューブ（１０１０）に導かれる。光路長補正部材（１００８）は、参照光（ＬＲ）と測定光（ＬＳ）の光路長（光学距離）を合わせるための遅延手段として作用する。分散補償部材（１００９）は、参照光（ＬＲ）と測定光（ＬＳ）の分散特性を合わせるための分散補償手段として作用する。
コーナーキューブ（１０１０）は、コリメータ（１００７）により平行光束となった参照光（ＬＲ）の進行方向を逆方向に折り返す。コーナーキューブ（１０１０）に入射する参照光（ＬＲ）の光路と、コーナーキューブ（１０１０）から出射する参照光（ＬＲ）の光路とは平行である。また、コーナーキューブ（１０１０）は、参照光（ＬＲ）の入射光路及び出射光路に沿う方向に移動可能とされている。この移動により参照光（ＬＲ）の光路（参照光路）の長さが変更される。
【００４７】
図３に示されるように、コーナーキューブ（１０１０）を経由した参照光（ＬＲ）は、分散補償部材（１００９）及び光路長補正部材（１００８）を経由し、コリメータ（１０１１）によって平行光束から集束光束に変換されて光ファイバ（１０１２）に入射し、偏波コントローラ（１０１３）に導かれて参照光（ＬＲ）の偏光状態が調整される。
偏波コントローラ（１０１３）は、例えば、偏波コントローラ（１００３）と同様の構成を有する。偏波コントローラ（１０１３）により偏光状態が調整された参照光ＬＲは、光ファイバ（１０１４）によりアッテネータ（１０１５）に導かれて、演算制御ユニット（１２）の制御の下で光量が調整される。アッテネータ（１０１５）により光量が調整された参照光（ＬＲ）は、光ファイバ（１０１６）によりファイバカプラ（１０１７）に導かれる。
【００４８】
図１と図３から把握できるように、ファイバカプラ（１００５）により生成された測定光（ＬＳ）は、光ファイバ（５０１）によりコリメートレンズ（５０２）に導かれる。図１に示されるように、コリメートレンズ（５０２）に入射した測定光は、光スキャナ（５０３ａ，５０３ｂ）、リレー光学系（５０４）、第１レンズ群（５０５）、第２レンズ群（５０６）、及びＯＣＴ用対物レンズ（５０７）を経由して、被検眼（８）に照射される。測定光は、被検眼（８）の様々な深さ位置において反射・散乱される。被検眼（８）により測定光の後方散乱光は、往路と同じ経路を逆向きに進行して、図３に示されるように、ファイバカプラ（１００５）に導かれ、光ファイバ（１０１８）を経由してファイバカプラ（１０１７）に到達する。
【００４９】
ファイバカプラ（１０１７）は、光ファイバ（１０１８）を介して入射された測定光（ＬＳ）と、光ファイバ（１０１６）を介して入射された参照光（ＬＲ）とを合成して（干渉させて）干渉光を生成する。ファイバカプラ（１０１７）は、所定の分岐比（例えば５０：５０）で、測定光（ＬＳ）と参照光（ＬＲ）との干渉光を分岐することにより、一対の干渉光（ＬＣ）を生成する。ファイバカプラ（１０１７）から出射した一対の干渉光（ＬＣ）は、それぞれ２つの光ファイバ（１０１９，１０２０）により検出器（１０２１）に導かれる。
【００５０】
検出器（１０２１）は、例えば一対の干渉光（ＬＣ）をそれぞれ検出する一対のフォトディテクタを有し、これらにより検出結果の差分を出力するバランスドフォトダイオード（Balanced Photo Diode：以下、「ＢＰＤ」という）である。検出器（１０２１）は、その検出結果（検出信号）を演算制御ユニット（１２）に送る。演算制御ユニット（１２）は、例えば、一連の波長走査毎に（Ａライン毎に）、検出器（１０２１）により得られた検出結果に基づくスペクトル分布にフーリエ変換等を施すことで断面像を形成する。演算制御ユニット（１２）は、形成された画像を表示部（１３）に表示させる。
【００５１】
この実施形態では、マイケルソン型の干渉計を採用しているが、例えば、マッハツェンダー型等の任意のタイプの干渉計を適宜に採用することが可能である。
【００５２】
図４は、第１の実施形態の眼科用顕微鏡に使用される対物レンズの形状を、示す模式図である。図４（Ａ）は、対物レンズの光軸の方向から見た図であり、図４（Ｂ）は、側面から見た図である。
図４（Ａ）に示されるように、対物レンズ（２）の平面形状は円形である。そして、第１の実施形態の顕微鏡においては、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。また、図示しないが、副観察光学系の光路が、左眼用観察光学系の光路（Ｐ−４００Ｌ）の近傍を透過している。
次に、図４（Ｂ）に示されるように、対物レンズ（２）の側面形状は凸状であり、凸レンズとなっている。
【００５３】
１−３．  対物レンズの形状
本発明の眼科用顕微鏡に使用する対物レンズとしては、第１の実施形態のように、円形レンズを使用することができる。
しかしながら、本発明においては、ＯＣＴ光学系の光軸と、観察光学系の光軸との成す角度を小さくすることが好ましく、そのためには、円形レンズの部分形状を有する対物レンズ、又は円形レンズに切り欠き若しくは穴を設けた形状を有する対物レンズを用いることが好ましい。
【００５４】
本発明において「円形レンズの部分形状」とは、レンズの光軸方向から平面視した場合に円形のレンズの一部を切り取った形状をいい、これらに限定されるわけではないが、例えば、左眼用観察光学系の光路と右眼用観察光学系の光路が透過するように、半円状、扇形状、矩形状等に切り取った形状のレンズを使用することができる。
また、本発明において、「円形レンズに切り欠き若しくは穴を設けた形状」とは、レンズの光軸方向から平面視した場合に、切り欠きや穴が設けられている形状をいい、これらに限定されるわけではないが、例えば、ＯＣＴ光学系の光路が透過する部分に切り欠きや穴を設けた形状のレンズを使用することができる。
【００５５】
このような形状のレンズを用いて、円形レンズにおいて切り取られたレンズが存在しない部分、又はレンズに設けられた切り欠きや穴を、ＯＣＴ光学系の光路が通過することができる。これにより、ＯＣＴ光学系の光軸が対物レンズを透過することなく、ＯＣＴ光学系の光軸と観察光学系の光軸とのなす角度を小さくすることができる。
本発明においては、ＯＣＴ光学系の光軸と、観察光学系の光軸（左右の観察光路の光軸のいずれか）とのなす角度を１〜１５°とすることが好ましく、より好ましくは、４〜１０°とするのがよく、さらに好ましくは６〜８°とするのがよい。
【００５６】
本発明の眼科用顕微鏡においては、円形レンズ又は円形レンズの部分からなるレンズを２つに分割し、分割した一方のレンズを、観察光学系の光軸が透過する対物レンズとし、分割したもう一方のレンズを、ＯＣＴ光学系の光軸が透過する対物レンズとすることができる。
ここで、「円形レンズの部分からなるレンズ」とは、前記した「円形レンズの部分形状」を有するレンズを用いることができる。
このような分割したレンズを用い、それぞれを独立して位置制御可能とすれば、観察光学系とＯＣＴ光学系を独立して制御することが可能となる。
【００５７】
１−４．  第２の実施形態
以下、本発明の他の実施形態の例を、図面を参照しながら詳細に説明する。
図５及び６は、本発明の眼科用顕微鏡の他の一例である第２の実施形態を模式的に示す図面である。
図５は、第２の実施形態の眼科用顕微鏡で使用する対物レンズの形状を示す模式図である。図５（Ａ）は、対物レンズの光軸の方向から見た図であり、図５（Ｂ）は、側面から見た図である。
図６は、第２の実施形態の眼科用顕微鏡の光学系の構成を、側面から見たものとして示す模式図である。
【００５８】
図５（Ａ）に示されるように、第２の実施形態で使用する対物レンズ（２）は、円形レンズの一部を切り取った部分形状をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、対物レンズ（２）の近傍を、ＯＣＴ光学系の光路（Ｐ−５００）が通過している。
また、図５（Ｂ）に示されるように、対物レンズ（２）の側面形状は、凸レンズの一部を切り取った部分形状となっている。
【００５９】
図６に示されるように、第２の実施形態の眼科用顕微鏡においては、顕微鏡本体（６）の内部に収納された対物レンズが、図５に示す形状を有する対物レンズ（２）に交換されている。
機能拡張ユニット（７）の内部に収納されたＯＣＴ光学系（５００）は、ＯＣＴユニット（１０）、光ファイバ（５０１）、コリメートレンズ（５０２）、照明野絞り（５０９）、光スキャナ（５０３ａ，５０３ｂ）、リレー光学系（５０４）、第１レンズ群（５０５）、第２レンズ群（５０６）、ＯＣＴ用対物レンズ（５０７）に加えて、さらに反射ミラー（５０８）を含んで構成されている。
そして、図示しないジョイント部を介して、機能拡張ユニット（７）を顕微鏡本体（６）に装着した場合に、ＯＣＴ用対物レンズ（５０７）と反射ミラー（５０８）が、対物レンズ（２）のレンズの切り取られた部分の上部に挿入される。ＯＣＴ光学系の光（０−５００）は、反射ミラー（５０８）で反射され、ＯＣＴ用対物レンズ（５０７）を透過して、被検眼（８）に照射される。
【００６０】
眼底の網膜を観察するときは、図示しない移動手段により、前置レンズ（１４）が被検眼の眼前の光軸Ｏ−３００、Ｏ−４００、Ｏ−５００上に挿入される。この場合には、対物レンズ（２）の前側焦点位置（Ｕ０）は、眼底の網膜と共役となる。
また、角膜、虹彩等の前眼部を観察するときには、前置レンズを被検眼の眼前から脱離させて観察を行う。
【００６１】
第２の実施形態においては、第１の実施形態と比較して、ＯＣＴ光学系の光軸と観察光学系の光軸とのなす角度を小さくすることができる。
【００６２】
１−５．  第３の実施形態
本発明の眼科用顕微鏡の他の一例である第３の実施形態において使用される対物レンズの形状を、図７に示す。図７（Ａ）は、対物レンズの光軸の方向から見た図であり、図７（Ｂ）は、側面から見た図である。
図７（Ａ）に示されるように、第３の実施形態で使用する対物レンズ（２）は、円形レンズの一部に切り欠きを設けた形状をしている。そして、その切り欠き部分を、ＯＣＴ光学系の光路（Ｐ−５００）が通過している。
【００６３】
１−６．  第４の実施形態
本発明の眼科用顕微鏡の他の一例である第４の実施形態において使用される対物レンズの形状を、図８に示す。図８（Ａ）は、対物レンズの光軸の方向から見た図であり、図８（Ｂ）は、側面から見た図である。
図８（Ａ）に示されるように、第４の実施形態で使用する対物レンズ（２）は、円形レンズの一部を矩形状に切り取った形をしており、左眼用観察光学系の光路（Ｐ−４００Ｌ）と右眼用観察光学系の光路（Ｐ−４００Ｒ）が、それぞれ対物レンズ（２）の異なる箇所を透過している。そして、対物レンズ（２）の近傍を、ＯＣＴ光学系の光路（Ｐ−５００）と照明光学系の光路（Ｐ−３００）が通過している。
また、図８（Ｂ）に示されるように、対物レンズ（２）の側面形状は、凸レンズの一部を切り取った部分形状となっている。
【００６４】
１−７．  第５の実施形態
本発明の眼科用顕微鏡の他の一例である第５の実施形態において使用される対物レンズの形状を、図９に示す。図９（Ａ）は、対物レンズの光軸の方向から見た図であり、図９（Ｂ）は、側面から見た図である。
図９（Ａ）に示されるように、第５の実施形態で使用する対物レンズ（２）は、円形レンズの一部を半円状に切り取った形をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、対物レンズ（２）の近傍を、ＯＣＴ光学系の光路（Ｐ−５００）が通過している。
また、図９（Ｂ）に示されるように、対物レンズ（２）の側面形状は、凸レンズの一部を切り取った部分形状となっている。
【００６５】
１−８．  第６の実施形態
本発明の眼科用顕微鏡の他の一例である第６の実施形態において使用される対物レンズの形状を、図１０に示す。図１０（Ａ）は、対物レンズの光軸の方向から見た図であり、図１０（Ｂ）は、側面から見た図である。
図１０（Ａ）に示されるように、第６の実施形態で使用する対物レンズ（２）は、円形レンズの一部を三日月状に切り取った形をしており、左眼用観察光学系の光路（Ｐ−４００Ｌ）、右眼用観察光学系の光路（Ｐ−４００Ｒ）、及び照明光学系の光路（Ｐ−３００）が、それぞれ対物レンズ（２）の異なる箇所を透過している。そして、対物レンズ（２）の近傍を、ＯＣＴ光学系の光路（Ｐ−５００）が通過している。
また、図１０（Ｂ）に示されるように、対物レンズ（２）の側面形状は、凸レンズの一部を切り取った部分形状となっている。
【００６６】
１−９．  第７の実施形態
本発明の眼科用顕微鏡の他の一例である第７の実施形態において使用される対物レンズの形状を、図１１に示す。図１１（Ａ）は、対物レンズの光軸の方向から見た図であり、図１１（Ｂ）は、側面から見た図である。
図１１（Ａ）に示されるように、第７の実施形態で使用する対物レンズ（２）は、円形レンズの中央に穴（２０１）を設けた形状をしている。そして、その穴を、ＯＣＴ光学系の光路（Ｐ−５００）が通過している。
このように穴を設けて、ＯＣＴ光学系を対物レンズを透過させずに、対物レンズの中央から照射することも可能となる。
【００６７】
２．  機能拡張ユニット
本発明の機能拡張ユニットは、眼科用顕微鏡に着脱可能で、ＯＣＴの機能を眼科用顕微鏡に付加することができるものである。
本発明の機能拡張ユニットは、被検眼を照明する照明光学系と、前記照明光学系で照明された被検眼を観察するための左眼用観察光学系の光路と右眼用観察光学系の光路を有する観察光学系と、前記観察光学系の前記左眼用観察光学系の光軸と前記右眼用観察光学系の光軸が共通して透過する対物レンズとを有する眼科用顕微鏡に使用するものである。
そして、本発明の機能拡張ユニットは、前記眼科用顕微鏡に対して着脱可能なジョイント部と、
光コヒーレンストモグラフィにより前記被検眼を検査するためのＯＣＴ光学系とを有し、
前記機能拡張ユニットを前記ジョイント部を介して前記眼科用顕微鏡に装着した場合に、前記観察光学系の光軸が透過する前記対物レンズを前記ＯＣＴ光学系の光軸が透過せず、前記観察光学系の光軸と前記ＯＣＴ光学系の光軸とが非同軸となることを特徴としている。
【００６８】
本発明の機能拡張ユニットのＯＣＴ光学系は、眼科用顕微鏡の観察光学系と独立しており、ユニット化が可能になるとともに、光学設計の自由度が高まるという効果を奏する。また、本発明の機能拡張ユニットは、ジョイント部を介して眼科用顕微鏡に着脱可能であるため、簡便にＯＣＴの機能を眼科用顕微鏡に追加することができるという効果を奏する。
【００６９】
本発明の機能拡張ユニットの「ジョイント部」とは、機能拡張ユニットと、眼科用顕微鏡を着脱可能とするものであれば、特に限定されず、これらに限定されるわけではないが、例えば、嵌め合わせにより連結するジョイント部や、ネジを用いて連結するジョイント部とすることができる。
【００７０】
本発明の機能拡張ユニットの具体例は、第１の実施形態の眼科用顕微鏡及び第２の実施形態の眼科用顕微鏡において、機能拡張ユニット（図１及び６の符号７で示される一点鎖線で囲まれる部分）として記載されているとおりである。
【００７１】
３．機能拡張セット
本発明の機能拡張セットは、前記２．に記載した機能拡張ユニットと、眼科用顕微鏡の対物レンズを交換するための交換用対物レンズとを含み、これらがセットとなったものである。
ここで、交換用対物レンズとしては、前記１−３．に記載した形状の対物レンズを用いることができる。
交換用対物レンズの具体的な例としては、前記第２の実施形態ないし第７の実施形態で使用される対物レンズ（図５及び７〜１１）を用いることができる。
【００７２】
本発明の機能拡張セットは、ジョイント部を介して機能拡張ユニットを眼科用顕微鏡に着脱可能であるため、簡便にＯＣＴの機能を眼科用顕微鏡に追加することができるという効果を奏する。
【産業上の利用可能性】
【００７３】
本発明の眼科用顕微鏡、機能拡張ユニット、及び機能拡張セットは、眼科用の医療機器を製造する産業において有用である。
【符号の説明】
【００７４】
図１〜１１で使用した符号が指し示すものは、以下のとおりである。
１          眼科用顕微鏡
２          対物レンズ
３００      照明光学系
３０１      光ファイバ
３０２      出射光絞り
３０３      コンデンサレンズ
３０４      照明野絞り
３０５      コリメートレンズ
３０６      反射ミラー
４００      観察光学系
４００Ｌ    左眼用の観察光学系
４００Ｒ    右眼用の観察光学系
４００Ｓ    副観察光学系
４０１      変倍レンズ系
４０１ａ，４０１ｂ，４０１ｃ    ズームレンズ
４０２      ビームスプリッタ
４０３      結像レンズ
４０４      像正立プリズム
４０５      眼幅調整プリズム
４０６      視野絞り
４０７      接眼レンズ
４０８      プリズム
４０８ａ    プリズムの反射面
４０９      結像レンズ
４１０      反射ミラー
４１１      助手用接眼レンズ
５００      ＯＣＴ光学系
５０１      光ファイバ
５０２      コリメートレンズ
５０３ａ，５０３ｂ    光スキャナ
５０４      リレー光学系
５０５      第１レンズ群
５０６      第２レンズ群
５０７      ＯＣＴ用対物レンズ
５０８      反射ミラー
５０９      照明野絞り
６          眼科用顕微鏡本体
７          機能拡張ユニット
８          被検眼
９          照明光源
１０        ＯＣＴユニット
１００１    ＯＣＴ光源ユニット
１００２    光ファイバ
１００３    偏波コントローラ
１００４    光ファイバ
１００５    ファイバカプラ
１００６    光ファイバ
１００７    コリメータ
１００８    光路長補正部材
１００９    分散補償部材
１０１０    コーナーキューブ
１０１１    コリメータ
１０１２    光ファイバ
１０１３    偏波コントローラ
１０１４    光ファイバ
１０１５    アッテネータ
１０１６    光ファイバ
１０１７    ファイバカプラ
１０１８    光ファイバ
１０１９    光ファイバ
１０２０    光ファイバ
１０２１    検出器
１１０１    結像レンズ
１１０２    反射ミラー
１１０３    テレビカメラ
１１０３ａ  撮像素子
１２        演算制御ユニット
１３        表示部
１４        前置レンズ
Ｏ−３００    照明光学系の光軸
Ｏ−４００    観察光学系の光軸
Ｏ−４００Ｌ  左眼用観察光学系の光軸
Ｏ−４００Ｒ  右眼用観察光学系の光軸
Ｏ−４００Ｓ  副観察光学系の光軸
Ｏ−５００    ＯＣＴ光学系の光軸
Ｐ−３００    照明光学系の光路
Ｐ−４００Ｌ  左眼用観察光学系の光路
Ｐ−４００Ｒ  右眼用観察光学系の光路
Ｐ−５００    ＯＣＴ光学系の光路
Ｌ０          ＯＣＴ光源ユニットから出力された光
ＬＣ          干渉光
ＬＳ          測定光
ＬＲ          参照光
Ｕ０          前側焦点位置
【図１】
2018110785.tif 000003
【図２】
2018110785.tif 000004
【図３】
2018110785.tif 000005
【図４】
2018110785.tif 000006
【図５】
2018110785.tif 000007
【図６】
2018110785.tif 000008
【図７】
2018110785.tif 000009
【図８】
2018110785.tif 000010
【図９】
2018110785.tif 000011
【図１０】
2018110785.tif 000012
【図１１】
2018110785.tif 000013
【図１２】
2018110785.tif 000014
【図１３】
2018110785.tif 000015